(57)【要約】【課題】建物の構造物に空気の給排気通路を設けるなどの複雑な設置工事および構成を実施することなく、かつヒートポンプ給湯機の性能を著しく低下させる事のない特にヒートポンプ給湯機の設置構造を提供する。【解決手段】集合住宅における給水配管、排水配管等を配置するパイプスペース２２にヒートポンプ給湯機２６を設置するとともに、前記ヒートポンプ給湯機２６に設けられた冷媒回路の蒸発器１３を通過する空気流は、前記パイプスペース２２の屋外より供給され、前記蒸発器１３を通過した後、再度前記パイプスペースの屋外に排出されることを特徴とするもので、空気流回路の設置構成が、例えばＭＢ（メーターボックス）等の扉のみで構成が可能となる。【選択図】図１
2006336993.tif 000002
【特許請求の範囲】
【請求項１】
集合住宅における給水配管、排水配管等を配置するパイプスペースにヒートポンプ給湯機を設置するとともに、前記ヒートポンプ給湯機に設けられた冷媒回路の蒸発器を通過する空気流は、前記パイプスペースの屋外より供給され、前記蒸発器を通過した後、再度前記パイプスペースの屋外に排出されることを特徴とするヒートポンプ給湯機の設置構造。
【請求項２】
パイプスペースの前面に設けられたパイプスペースの屋外より蒸発器へ供給する空気の吸込み部と、前記吸込み口の下方に設けられた前記蒸発器を通過後の空気をパイプスペースの屋外へ吹出す吹出し部とを備え、前記吹出し部にパイプスペースの屋外に向けて下方へ傾斜させた風向変更部材を設けた請求項１記載のヒートポンプ給湯機の設置構造。
【請求項３】
風向変更部材は、略直線状とした請求項２記載のヒートポンプ給湯機の設置構造。
【請求項４】
上記請求項２または３記載の風向変更部材を予め蒸発器の空気下流側の外部に設置する構成としたヒートポンプ給湯機。
【発明の詳細な説明】
【技術分野】
【０００１】
本発明は、集合住宅における給水配管、排水配管等を配置するパイプスペースおよびメーターボックス内に、ヒートポンプ給湯機を設置する設置構造、および、ヒートポンプ給湯機に関するものである。
【背景技術】
【０００２】
従来、この種の設備機器設置構造は、以下のようなものである。この設備機器設置構造を図２に示す。２２はパイプスペースであり、共用の給水配管２４、および排水配管２５が配置されている。３３は部屋であり２７は隔壁である。２６のヒートポンプ給湯機は隔壁２７の開口部を空気吸込み側として設置されている。ヒートポンプ給湯機が部屋から空気を吸引するための３６の空気戻り通路を設けている。またヒートポンプ給湯機の排気風を部屋に導く空調往き通路３４も設けられている（例えば、特許文献１参照のこと）。
【特許文献１】特開２００４―１５６８４６号公報
【発明の開示】
【発明が解決しようとする課題】
【０００３】
しかしながら、前記従来の構成では、建物の構造物に空気の吸排気通路を設ける工事が必要であり、建物構造が非常に複雑となり建物自体のコストＵＰになる。また既設の建物を工事する場合においては更に複雑な施工工事になり現実的に困難である課題がある。
【０００４】
本発明は、前記従来の課題を解決するもので、複雑な設置工事および構成を実施することなく、かつヒートポンプ給湯機の性能を著しく低下させることのないヒートポンプ給湯機の設置構造を提供することを目的とする。
【課題を解決するための手段】
【０００５】
前記従来の課題を解決するために、本発明のヒートポンプ給湯機の設置構造は、集合住宅における給水配管、排水配管等を配置するパイプスペースにヒートポンプ給湯機を設置するとともに、前記ヒートポンプ給湯機に設けられた冷媒回路の蒸発器を通過する空気流は、前記パイプスペースの屋外より供給され、前記蒸発器を通過した後、再度前記パイプスペースの屋外に排出されることを特徴とするもので、前記ヒートポンプ給湯機に設けられた冷媒回路の蒸発器を通過する空気流は、前記パイプスペースの屋外より供給され前記蒸発器を通過した後、再度前記パイプスペースの屋外に排出することで、空気流回路の設置構成が、例えばＭＢ（メーターボックス）等の扉のみで構成が可能となる。
【発明の効果】
【０００６】
本発明によれば、複雑な設置工事および構成を実施することなく、かつヒートポンプ給湯機の性能を著しく低下させることのないヒートポンプ給湯機の設置構造を提供できる。
【発明を実施するための最良の形態】
【０００７】
第１の発明は、集合住宅における給水配管、排水配管等を配置するパイプスペースにヒートポンプ給湯機を設置するとともに、前記ヒートポンプ給湯機に設けられた冷媒回路の蒸発器を通過する空気流は、前記パイプスペースの屋外より供給され、前記蒸発器を通過した後、再度前記パイプスペースの屋外に排出されることを特徴とするヒートポンプ給湯機の設置構造で、建物の構造物に空気の給排気通路を設ける工事が不必要となり、設置における風回路の構成が簡単に構成できることとなり、給湯機の設置工事を簡単にするものである。
【０００８】
第２の発明は、パイプスペースの前面に設けられたパイプスペースの屋外より蒸発器へ供給する空気の吸込み部と、前記吸込み口の下方に設けられた前記蒸発器を通過後の空気をパイプスペースの屋外へ吹出す吹出し部とを備え、前記吹出し部にパイプスペースの屋外に向けて下方へ傾斜させた風向変更部材を設けたもので、歩行者などへの冷風が当たることを防止し、体感への悪影響をなくすものである。かつ下方へ吹出しを構成することにより、冷風の吹出しが吸込み側へ回ることを防止する事が出来、ヒートポンプ給湯機の性能低下を避ける事が可能となる。
【０００９】
第３の発明は、風向変更板を略直線状にすることにより、風回路の抵抗を少なく出来て風量の低下を最小限にできる。よってヒートポンプ給湯機の著しい性能低下を回避できるものである。
【００１０】
第４の発明は、上記請求項２または３記載の風向変更部材を予め蒸発器の空気下流側の外部に設置する構成としたもので、そのことによりより設置工事を簡単にできかつ現場工事の精度のバラツキ等による影響をも防止できることになる。
【００１１】
以下、本発明の実施の形態について、図面を参照しながら説明する。なお、この実施の形態によって本発明が限定されるものではない。
【００１２】
（実施の形態１）
図１は、本発明の実施形態を示すヒートポンプ給湯機の設置構造の断面図を示すものである。図１において２２はパイプスペースであり、その中にヒートポンプ給湯機２６が設置されている。
【００１３】
空気流１０は、パイプスペース２２の屋外から扉２３の上方に設けられた吸い込み開口１１からパイプスペース２２のなかに吸込まれ、蒸発器１３を通過し、ファンの下流に設けられた風向変更部材１２ａにより、下方に風向を変えられてパイプスペース２２の屋外に放出される。
【００１４】
以上のように構成された設置構造において、パイプスペースあるいはメーターボックスの扉だけで、空気流１０の吸い込み開口１１および吹出し開口１２ｂを簡単に構成できることにより、建物の構造物に空気の給排気通路を施工する必要がなく、非常に簡単な設置構造を構成できることとなる。
【００１５】
また、風向変更部材１２ａにより空気流１０が下方に風向変更されることにより、扉２３の前の歩行者などへ冷風が直接当たることを防止でき、冷風による体感への悪影響をなくすことになる。
【００１６】
また、吹出された冷風が空気流１０の吸込み開口１１から遠ざけることにより、冷風が吸込み口１１から吸込まれにくくなり、いわゆる空気流１０のショートカット現象によるヒートポンプ給湯機２６の著しい性能低下をも防止できる事となる。
【００１７】
なお、風向変更部材１２ｂは概直線形状とし、板厚も可能なかぎり薄くすることにより、よりヒートポンプ給湯機２６の性能低下への影響をより少なくできる。なお、具体的には風向変更部材１２ｂの巾は４０ｍｍ、板厚は１ｍｍとした直線形状にし、下方へ概ね４５度傾斜させた場合においてヒートポンプ給湯機２６の能力低下は約２％弱に収めることができた。
【産業上の利用可能性】
【００１８】
本発明のヒートポンプ給湯機の設置構造は、集合住宅におけるパイプシャフト、メータ
ーボックス収納において施工工事を簡単にし、かつ性能の著しい低下を防ぐことができるのでルームエアコン等の空調機の設置構造においても適用できる。
【図面の簡単な説明】
【００１９】
【図１】本発明の実施の形態１におけるヒートポンプ給湯機の設置構造の断面図
【図２】従来のヒートポンプ給湯機の設置構造を示す要部断面図
【符号の説明】
【００２０】
１０  空気流
１１  吸込み開口
１２ａ  風向変更部材
１２ｂ  吹出し開口
１３  蒸発器
１４  ファン
２３  扉
２７  隔壁
２８  天井壁
２２  パイプスペース
２４  給水配管
２５  排水配管
２６  ヒートポンプ式給湯機
３１  ドレーン配管
３３  部屋
３４  空調往き通路
３５  外気排気通路
３６  空調戻り通路
３７  外気吸気通路
３８  空調通路開閉手段
４０  空調温度検出手段
４１  空調制御手段
４２  ろ過手段
【図１】
2006336993.tif 000003
【図２】
2006336993.tif 000004